(57)【要約】 【課題】重ねあわせ位置のずれを防止し、表出模様のはみ出しや二重表出を確実に防ぐことのできるフロッタージュ用台紙を提供する。【解決手段】  筆記材で表面を擦りつけることのできる表紙層1と、表紙層1よりも厚く表面硬度の高い下敷き層２とを当接して予め多層形成し、表紙層1又は下敷き層２の少なくともいずれかの当接面に微細凸構造３の模様が形成されてなることを特徴とする。表紙層1と下敷き層２は接着層４を介して接着形成され、この接着層４は、少なくとも微細凸構造３の模様が形成されていない平坦領域に塗布形成される。【選択図】  図６
0003135995.tif 000002
【実用新案登録請求の範囲】
【請求項１】
表面に擦りつけた筆記材が定着しうる表紙層１と、表紙層１よりも厚く表面硬度の高い下敷き層２とを当接させて予め層形成してなり、表紙層１の表面に輪郭および／または枠形状からなる印字１０が施され、表紙層１又は下敷き層２の少なくともいずれかの当接面に微細凸構造３の模様が形成されたことを特徴とするフロッタージュ技法用台紙。
【請求項２】
表紙層１は、下敷き層２との当接面に微細凸構造３の模様が印刷形成されてなり、下敷き層２は、表紙層１との当接面全体が平坦面からなる請求項１記載のフロッタージュ技法用台紙。
【請求項３】
表紙層１と下敷き層２は接着層４を介して接着形成され、接着層４は、少なくとも微細凸構造３の模様領域を除く平坦領域に塗布されて形成される請求項１または２のいずれか記載のフロッタージュ技法用台紙。
【請求項４】
微細凸構造３の模様は、当接面に施した光重合インキのスクリーン印刷によって形成されたものである１、２または３のいずれか記載のフロッタージュ技法用台紙。
【請求項５】
前記いずれかのフロッタージュ技法用台紙において、表紙層１が下敷き層２の両面に接着形成され、両面に模様表出しうる請求項１、２、３または４のいずれか記載のフロッタージュ技法用台紙。
【請求項６】
微細凸構造３の凸構造高さ３ｈは接着層４厚さよりも大きく、かつ表紙層１厚さよりも大きい請求項１、２、３、４または５のいずれか記載のフロッタージュ技法用台紙。
。
【請求項７】
微細凸構造３は、凸構造幅３ｗ方向の中央部が両端部よりも膨盛した山型頂部を有する請求項１、２、３、４、５または６のいずれか記載のフロッタージュ技法用台紙。
【考案の詳細な説明】
【技術分野】
【０００１】
本考案は、フロッタージュ技法を利用した、塗り絵用或いは情報表出用等に用いるフロッタージュ技法用台紙に関する。
【背景技術】
【０００２】
従来、塗り絵セットとして、彩色された仏画がかかれた塗り絵見本と、仏画の輪郭からなる下絵がかかれた台紙と、少なくとも片面に凹凸模様を付した模様下敷きとを一組にした写仏用塗り絵セットが存在した（例えば、特許文献１参照）。
【特許文献１】実用新案登録第３０７１８３９号公報
【考案の開示】
【考案が解決しようとする課題】
【０００３】
しかしながら上記塗り絵セットは台紙と下敷きが別々に容易され、これらを重ね合わせて塗り絵描画するものである。このため、重ね合わせ位置がずれやすく、また一旦ずれた位置で塗ってしまうと、重ねあわせ位置を修正しても表出模様が正規の位置からはみ出したり、先に塗った表出模様と重なって二重になってしまうという問題があった。
【０００４】
そこで本考案は、重ねあわせ位置のずれを防止し、表出模様のはみ出しや二重表出を確実に防ぐことのできるフロッタージュ技法用台紙を提供することを課題とする。
【課題を解決するための手段】
【０００５】
本考案は上記課題を解決すべく（１）〜（９）の手段を講じている。
（１）すなわち、本考案のフロッタージュ技法用台紙は、筆記材で表面を擦りつけることで表面に擦りつけた筆記材が定着しうる表紙層１と、表紙層１よりも厚く表面硬度の高い下敷き層２とを当接して予め多層形成してなり、表紙層１の表面に輪郭および／または枠形状の印字１０が施され、表紙層１又は下敷き層２の少なくともいずれかの当接面に微細凸構造３の模様が形成されたことを特徴とする。
【０００６】
（２）前記フロッタージュ技法用台紙において、表紙層１は、下敷き層２との当接面に微細凸構造３の模様が印刷形成されてなり、さらにこのフロッタージュ技法用台紙において、下敷き層２は、表紙層１との当接面全体が平坦面からなることが好ましい。
【０００７】
すなわち当接面には微細凸構造３の模様が印刷形成されておらず、表紙層１の裏面印刷による微細凸構造３の模様によってのみフロッタージュ技法で描画できる。
【０００８】
この当接面の全面に接着層４が略同一厚さで均一に塗布形成され、この接着層４が、微細凸構造３の模様が形成された表紙層１の裏面と当接して貼り合せられ、これによって各層が積層形成される。例えば表紙層１は、表面に情報表示枠或いは描画用の輪郭が印字形成されると共に裏面の当接面に微細凸構造３の模様が形成されてなる。
【０００９】
（３）前記いずれかのフロッタージュ技法用台紙において、表紙層１と下敷き層２は接着層４を介して接着形成され、接着層４は、少なくとも微細凸構造３の模様が形成されていない平坦当接面間の領域、すなわち少なくとも微細凸構造３の模様領域を除く平坦領域に塗布されて形成されることが好ましい。
【００１０】
この様な構成例として、図２や図６に示すように、全面に亘って平坦な下敷き層２の当接面に接着層４を略等厚形成したものが挙げられる。すなわち図２（後述の実施例１）や図６（後述の実施例３）では、両面が平坦な下敷き層２と、この下敷き層２の片面又は両面の平坦な当接面に略等厚に形成された接着層４と、接着層４に微細凸構造３が当接するように接着形成された表紙層１とから層形成される。表紙層１は、裏面の当接面に微細凸構造３が形成されており、下敷き層２に塗布された接着剤によって下敷き層２に貼り付けられる。これは（２）と（３）の構成の組合せによるものであり、表紙層１は、下敷き層２との当接面に微細凸構造３の模様が印刷形成されてなり、下敷き層２は、表紙層１との当接面全体が平坦面からなり、さらに下敷き層２の当接面全体に接着層４が略等厚に形成されて表紙層１の当接面と接着されてなる前記フロッタージュ技法用台紙である。
【００１１】
（４）また、前記いずれかのフロッタージュ技法用台紙において、微細凸構造３の模様は、当接面に施した光重合インキのスクリーン印刷によって形成されたものであることが好ましい。
【００１２】
（５）前記いずれかのフロッタージュ技法用台紙において、表紙層１が下敷き層２の両面に接着形成され、両面に模様表出しうるものであることが好ましい。
【００１３】
この場合、第一の表紙層１と、下敷き層２と、第二の表紙層１とが順に予め接着形成され、これら３層は、２つの接着層４を介した積層構造となる。予め接着によって積層形成するため、両面の模様表出用台紙が容易に得られる。印字１０の異なる複数のフロッタージュ技法用台紙を用意し、その共通する一側辺同士を綴ることで冊子様のものとして得ることもできる。
【００１４】
また、上記（５）のフロッタージュ技法用台紙において、表裏それぞれの表紙層１に下敷き層２との当接面に微細凸構造３の模様が印刷形成されると共に、下敷き層２が両面とも平坦なものであることが好ましい。このようなものであれば、両面のフロッタージュ技法用台紙を、製品ロスを発生させることなく一頁のものとして得ることができる。また中央層である下敷き層２が平坦であると、フロッタージュ技法の模様表出の際に、模様表出と関係のない裏側の微細凸構造３による影響を受けにくく、両面であっても確実な模様表出が可能となる。
【００１５】
（６）前記いずれかのフロッタージュ技法用台紙において、微細凸構造３の凸構造高さ３ｈは接着層４厚さよりも大きく、かつ表紙層１厚さよりも大きいことが好ましい。接着層４厚さおよび表紙層１厚さよりも大きいことで、筆記具を塗りつぶして擦り付けるだけで確実にフロッタージュ模様が表出される。
【００１６】
なお他に、微細凸構造３の凸構造高さ３ｈは接着層４厚さよりも大きく、かつ表紙層１厚さよりも小さいものとすることができる。このようなものであれば、予め積層形成したことによって運搬時或いは筆記材の擦り付け時に表紙層１が破損することなく、またも表紙層１が破れにくいものとなる。
【００１７】
（７）また、前記いずれかのフロッタージュ技法用台紙において、微細凸構造３は、凸構造幅３ｗ方向の中央部が両端部よりも所定の膨盛量だけ膨盛した山型頂部を有することが、フロッタージュ技法による確実な模様表出のために好ましい。
【００１８】
なお、上記に加えて、前記両端部の高さは接着層４厚さよりも大きいことが好ましく、また、特に上記微細凸構造３は、凸幅方向中央部の膨盛量が両端部の高さの半分以上であることが、フロッタージュ技法による安定した模様表出のために好ましい。
【考案の効果】
【００１９】
上記手段を講じることで、重ねあわせ位置のずれを防止し、表出模様のはみ出しや二重表出を確実に防ぐことのできるフロッタージュ技法用台紙を提供しうる。
【考案を実施するための最良の形態】
【００２０】
以下、本考案の最良の形態例を、各実施例として示す各図と共に説明する。図１ないし３は実施例１、図４及び５は実施例２、図６及び７は実施例３のフロッタージュ技法用台紙を示す。本考案のフロッタージュ技法用台紙は基本的に、筆記材で表面を擦りつけることのできる表紙層１と、表紙層１よりも厚く表面硬度の高い下敷き層２と、その間に介在する接着層４とからなる多層形成台紙である。そして、表紙層１又は下敷き層２の少なくともいずれかの当接面に微細凸構造３の模様が形成されてなる。表紙層１と下敷き層２とがそれぞれの当接面で当接して予め多層形成されることで、より簡易にフロッタージュ技法の描画を行うことができる。以下、実施例の各構成を詳述する。
【実施例１】
【００２１】
本考案の実施例１のフロッタージュ技法用台紙について、表紙層１を一部剥離させた概観説明図を図１に、側面視の一部断面構造を図２に示し、描画によるフロッタージュ模様の表出例の概観図を図３に示す。実施例１は、図１及び図２に示すように、表面に印字１０を施すと共に裏面の当接面に微細凸構造３の模様を形成した表紙層１と、表面の平坦当接面に接着層４を略等厚に形成した下敷き層２とが、予め接着によって層形成される。表紙層１の裏面に直接微細凸構造３を形成しているため、印字とフロッタージュ模様とがずれることがなく、模様下敷き層２の接着位置のズレによる製品ロスは発生しない。また平坦な当接面に接着層を形成するため、接着剤の均等な塗布が容易であり、確実に接着されたフロッタージュ技法用台紙を得ることができる。
【００２２】
（表紙層１）
表紙層１は、筆記材で擦りつけてフロッタージュ描画を行う層であり、フロッタージュ技法用台紙の表紙に限らず、表或いは裏の少なくともいずれか、又は両側を形成する。擦り付けた筆記材が適度に引っかかり表面で分散定着し、塗り絵様の摩擦描画を行うことのできる表面と、下敷き層２に当接する当接面の裏面を有する。
【００２３】
表紙層１の表面には、図１に示すような描画用の輪郭や図６上図の左ページ部分に示すような情報表示枠の印字１０が形成される。輪郭は実施例１及び２（図１〜図５）のように動物絵等の様々な一般絵画のほか、仏画像とすることができる。輪郭の印字１０を形成することによって塗り絵の要領に夜塗りつぶし手法で確実にフロッタージュ技法の描画を行うことができる。他に、図６に示すように、情報表示のための枠部の印字１０を形成することで、白紙の枠内から隠し文字等を情報表出させるものとすることができる。
【００２４】
表紙層１の裏面は、下敷き層２と当接する当接面となる。この表紙層１の当接面は、実施例１及び３では微細凸構造３の模様が形成され、実施例２では全体が平坦な面からなり微細凸構造３が形成されていない。この表紙層１の当接面に接着剤が塗布されて下敷き層２と接着される。
されてなる。
【００２５】
表紙層１は、下敷き層２の片面に接着形成されるものであっても、或いは下敷き層２の両面に接着形成されるものであってもよい。実施例１及び２では表紙層１は、下敷き層２の片側面たる上演にのみ接着して層形成され、片面に模様表出しうる。一方、実施例３のフロッタージュ技法用台紙は表紙層１は下敷き層２の両面に接着形成され、片面に模様表出しうる。この場合、第一の表紙層１と、下敷き層２と、第二の表紙層１とが順に接着形成され、２つの接着層４を介した積層構造となる。この実施例３のように構成された両面式のフロッタージュ技法用台紙は、略同一形状として用意された複数枚が、共通する一側片で綴られて冊子状に構成される。これにより、ページをめくることで両面にフロッタージュ技法の描画を行うことができる。
【００２６】
（微細凸構造３）
そして、表紙層１または下敷き層２のうち少なくともいずれかの当接面には、フロッタージュ技法の描画表出のための微細凸構造３の模様が印刷形成されてなる。この微細凸構造３の模様が、表紙層１の表面へ転写され、この転写部分に筆記材が定着することによって、フロッタージュ技法による模様が表出される。このため微細凸構造３の硬度は表紙層１よりも大きい。
【００２７】
実施例１及び３では、表紙層１の裏面である下敷き層２との当接面にのみ、微細凸構造３の模様が形成される。実施例２では、下敷き層２の表紙層１との当接面にのみ、微細凸構造３の模様が形成される。実施例１及び３のように、表裏それぞれの表紙層１に下敷き層２との当接面に微細凸構造３の模様が印刷形成されると共に、下敷き層２が両面とも平坦なものであると、表面の印字と裏面の微細凸構造３とが貼り合せの際にずれることがが無く、両面のフロッタージュ技法用台紙を、製品ロスを発生させることなく一頁のものとして得ることができる。
【００２８】
この微細凸構造３の模様は例えば、スクリーン印刷によって印刷形成される。使用するスクリーン印刷用インキは、光重合インキが好ましい。光重合インキの好適なものとして、紫外線硬化するいわゆるＵＶインキが挙げられる。これによって凸構造高さ３ｈの比較的塗布厚さの大きな厚膜印刷が可能となり、硬化したインクによってフロッタージュ技法に適した微細凸構造３を形成することができる。また、丈夫な皮膜と適度な弾性を有するため、フロッタージュ技法による模様表出のための微細凸構造３として好ましい。例えば顔料０〜４０％、光重合性低重合体（オリゴマー）として感光性樹脂３０〜９０％、光重合性単量体として感光性モノマー１０〜４０％、増感剤として光重合開始剤３〜１０％を成分含有したものが使用される。
【００２９】
光重合性低重合体としてはポリエステルアクリレート、エポキシアクリレート、ウレタンアクリレート、ポリオールアクリレートなどのアクリレート系のほか、メタクリレート系、不飽和ポリエステル系のものが使用される。なかでも表面硬化性に優れたエポキシアクリレートが好適に使用される。
【００３０】
光重合性単量体としては、単官能モノマーと多官能モノマーのいずれかが使用されるが、粘度が低く、皮膚刺激と臭気が少なく、溶解力と硬化性にすぐれたものが好ましい。
【００３１】
光重合開始剤としては、ベンゾフェノン系、ベンゾイン系、アセトフェノン系、チオキサントン系のいずれかが使用される。ラジカル発生効率がすぐれ、臭気、毒性、着色が少なく、保存安定性にすぐれたものが好ましい。また、顔料はクリアー系であるか、表紙層１と近似した白色系であることが好ましい。
【００３２】
微細凸構造３は、微細凸構造３の定着性、形状安定性及びフロッタージュ模様の表出性を良好にすべく、凸幅方向中央部が両端部よりも（所定の膨盛量だけ）膨盛した山型頂部を有し、両端部の高さは接着層４厚さよりも大きいことが好ましい。特にこの微細凸構造３は、凸幅方向中央部の膨盛量が両端部の高さの半分以上であることが好ましい。
【００３３】
また、フロッタージュ模様を良好に表出すべく、ひとつの微細凸構造３の断面形状の凸構造幅３ｗは、凸構造高さ３ｈよりも１０ないし４０％程度大きいことが好ましい。例えば凸構造幅３ｗは６０〜１００μｍ、凸構造高さ３ｈは中央部で６０〜７０μｍ、両端部で３５〜４５μｍ程度のものとすることができる。また、凸構造高さ３ｈは表紙層１厚さよりも大きいとフロッタージュ技法の模様表出がはっきりと表出される。一方、表紙層１厚さよりも小さいと、表紙層１が運搬時或いは描画時に破壊されることなくより丈夫なものとなる。
【００３４】
（接着層４）
表紙層１と下敷き層２は接着層４を介して接着形成される。接着層４は、少なくとも微細凸構造３の模様が形成されていない平坦当接面間の領域、すなわち微細凸構造３の模様領域を除く平坦領域に塗布されて形成される。
【００３５】
表紙層１と下敷き層２のうちいずれかの当接面の全面に接着層４が（略同一厚さで）均一に塗布形成され、この接着層４が、微細凸構造３の模様が形成された表紙層１の裏面と当接して貼り合せられ、これによって各層が積層形成される。この接着層４厚さは微細凸構造高さ３ｈよりも小さく、１０〜５０μｍ程度であることが好ましい。実施例１では下敷き層２の平坦な当接面の全面に接着層４が略等厚に形成される。なお、下敷き層２の当接面に加えて、後述の実施例２のように微細凸構造３の形成された表紙層１の当接面の全面（或いは一部の平坦面）に接着層４を形成するものとしても良い。
【００３６】
（下敷き層２）
下敷き層２は表紙層１よりも表面硬度が高く、フロッタージュ技法の描画において下敷き板の役目を果たす。具体的には、表紙層１は微細凸構造３によって型移りするだけの比較的柔軟に変形しうるのに対して、下敷き層２は微細凸構造３によって型写りしないだけの比較的強い表面硬度を有する。
【００３７】
実施例１の下敷き層２は、表紙層１との当接面すべてが平坦面からなる。すなわち当接面には微細凸構造３の模様が印刷形成されておらず、表紙層１の裏面印刷による微細凸構造３の模様によってのみフロッタージュ技法で描画できる。
【００３８】
（製造方法）
本考案のフロッタージュ技法用台紙は、以下の各工程を順に経ることによって製造される。すなわち、（ａ）表紙層１の表面に輪郭または枠形状の印字１０を施す印字１０工程と、（ｂ）印字１０工程を経た表紙層１又は下敷き層２のいずれかの当接面に微細凸構造３の模様を形成する凸構造形成工程と、（ｃ）下敷き層２又は表紙層１のいずれか又は両方の当接面に接着剤を塗布して接着層４を形成する接着剤塗布工程と、（ｄ）裏面印刷工程を経た表紙層１の裏面、及び接着剤塗布工程を経た下敷き層２の当接面を当接させて両層を貼り合せる貼り合せ工程とを具備する。また、貼り合せ工程の後に（ｅ）貼り合せた積層台紙を所定形状にカットするカット工程を経ることが好ましい。
【００３９】
このようなものであれば、貼り合せ工程において印字と微細凸構造３の模様とのずれが生じることが無い。また、平坦面からなる下敷き層２の当接面に接着剤を塗布するため、均一な接着剤塗布が可能となり、剥がれにくい確実な貼り合せを行うことができる。
【００４０】
上記のうち（ｂ）凸構造形成工程は、印字１０工程を経た表紙層１の裏面に紫外線硬化型インキによるスクリーン印刷を施して微細凸構造３の模様を形成する、いわゆる裏面凸構造形成工程であることが好ましい。また、上記のうち（ｃ）接着剤塗布工程は、当接面の平坦面領域であって下敷き層２及び表紙層１の両方に接着剤を塗布する、いわゆる両平坦面接着剤塗布工程であることが好ましい。
【００４１】
このようなものであれば、貼り合せ工程において印字と微細凸構造３の模様とのずれが生じることが無い。また、平坦面からなる下敷き層２の当接面に接着剤を塗布するため、均一な接着剤塗布が可能となり、剥がれにくい確実な貼り合せを行うことができる。
【００４２】
（使用方法例）
本考案のフロッタージュ技法用台紙は、表紙層１の表面へ塗り絵のように任意の色の筆記材を擦り付けて描画することで模様が浮かび上がり、フロッタージュ技法の描画を行うことができる。しかも下敷き層２が予め積層接着されているため、微細凸構造３模様の輪郭とのずれがなく、簡易なぬり絵手法の描画によってより本格的な模様を確実に表出させることができる。枠形状は実施例１及び２（図１〜図５）のように動物絵等の様々な輪郭にすることができ、或いは実施例３（図６）のように表示枠とすることもできる。フロッタージュ技法により模様表出させるための微細凸構造も、実施例１及び２（図１〜図５）のように微細模様を表出させるもののほか、実施例３（図６）のように、文字や図形、記号などの情報を表出させるものとすることができる。なお本願に於いては、実施例３のような絵画手法ではない文字等の情報表出もフロッタージュ技法によるものとしている。
【実施例２】
【００４３】
本考案の実施例２のフロッタージュ技法用台紙について、表紙層１及び下敷き層２の分解構造の説明図を図４に示し、側面視の一部断面構造を図５に示す。実施例２は、図４及び図５に示すように、裏面の平坦当接面に接着層４が略等厚に形成された表紙層１と、表面の当接面に微細凸構造３の模様が形成された下敷き層２とから形成される。また図５に示すように、微細凸構造３が設けられた下敷き層２の当接面にも、その全面に亘って接着剤が塗布されて下方の接着層４が形成される。この下方の接着層４と、表紙層１に形成された上方の接着層４とが自着接着することで、より強固な接着が可能となる。また表紙層１よりも硬度の高い下敷き層２に微細凸構造３を設けることで、微細凸構造３の定着性が良好なものとなる。特記しない他の構成は実施例１と同様である。
【実施例３】
【００４４】
本考案の実施例３のフロッタージュ技法用台紙について、側面視の一部断面構造を図６に示し、描画によるフロッタージュ模様の表出前後の概観図を図７の上下図として示す。実施例３は、図６及び図７に示すように、第一の表紙層１と下敷き層２と第二の表紙層２との３層を接着形成したフロッタージュ技法用台紙を冊子の各頁として複数枚用意し、各枚の共通する側辺を綴じ辺として冊子状に形成してなる。
【００４５】
冊子の中紙を構成する各フロッタージュ技法用台紙は、下敷き層２の両面が平坦な第一及び第二の当接面からなり、各面に、第一及び第二の接着層４を形成し、この第一及び第二の接着層４に第一及び第二の表紙層１を当接させて接着することで層形成される。
【００４６】
図７に示すように、印字１０には、設問様の文字列と解答欄の枠とが形成され、枠を塗りつぶすことで設問の解答が模様として表出する（図７下図）。
【００４７】
本実施例のように両端平坦な当接面の下敷き層２を中間層とすることで、それぞれのフロッタージュ技法用台紙は、印字とフロッタージュ模様とがずれることがなく、また確実に接着することができる。このため、模様下敷き層２の接着位置のズレによる製品ロスは発生しない。特に冊子状に形成すると、印字とフロッタージュ模様とのズレが一ページでもあると落丁につながるところ、本実施例の構成によって落丁の発生割合を抑えることができる。また平坦な当接面に接着層を形成するため、接着剤の均等な塗布が容易であり、各フロッタージュ台紙の厚さをより均等なものとして得ることができる。これにより、複数枚のフロッタージュ技法用台紙で冊子を構成しても、冊子の厚さを均等なものとして得ることができる。特記しない他の構成は実施例１と同様である。
【産業上の利用可能性】
【００４８】
本考案は、塗り絵のように筆記材を擦り付けて描画することで模様が浮かび上がるいわゆる塗り絵台紙としても使用できるほか、文字や図形等の隠れた情報表示を、筆記材の擦り付けによって表示することで認識させる、いわゆる隠し文字或いは隠し絵表示台紙としても使用できる。また、下敷き層２の厚さや硬度を上げることで、絵画描画用の厚手の１枚ものの台紙とすることも可能であるし、他に例えば実施例３に示すように複数の台紙の共通する一側辺同士を綴って冊子状とし、問題の解答を表示する問題集とすることも可能である。その他各部の具体的な構成や使用方法を含めて上述した実施例に限定されるものでなく、この考案の趣旨を逸脱しない範囲で種々の変形及び組み合わせが可能である。
【図面の簡単な説明】
【００４９】
【図１】本考案の実施例１のフロッタージュ技法用台紙の、表紙層１を一部剥離させた一部構造説明図である。
【図２】実施例１のフロッタージュ技法用台紙の側面視の一部断面構造を示す断面説明図である。
【図３】実施例１のフロッタージュ技法用台紙の描画によるフロッタージュ模様の表出例の概観図である。
【図４】本考案の実施例２のフロッタージュ技法用台紙の、表紙層１及び下敷き層２の分解構造を示す概観説明図である。
【図５】実施例２のフロッタージュ技法用台紙の側面視の一部断面構造を示す断面説明図である。
【図６】実施例３のフロッタージュ技法用台紙の側面視の一部断面構造を示す断面説明図である。
【図７】実施例３のフロッタージュ技法用台紙の、描画によるフロッタージュ模様の表出前後の状態を示す概観図である。
【符号の説明】
【００５０】
１  表紙層
１０  印字
２  下敷き層
３  微細凸構造
３ｈ  凸構造高さ
３ｗ  凸構造幅
４  接着層
【図１】
0003135995.tif 000003
【図２】
0003135995.tif 000004
【図３】
0003135995.tif 000005
【図４】
0003135995.tif 000006
【図５】
0003135995.tif 000007
【図６】
0003135995.tif 000008
【図７】
0003135995.tif 000009